(57)【要約】【課題】汗をかきやすい足の先端部（つま先）に新鮮な外気を導入し、靴の履き心地を改善する。【解決手段】踵部分に設けたエアポンプと、該エアポンプの適宜位置に設けた外気吸入口および吸入用弁とを備え、エアポンプの前方部分に環状を呈する送気用チューブの基端部を連結し、この連結部に送気用弁を配する一方、送気用チューブの一般部を足の側方および前方を囲うように配設し、送気用チューブの前方部分に、後方または上向き、或いは上方上向きに向かって空気を噴出させる空気孔を設ける。【選択図】　　図１
2004033634.tif 000002
【特許請求の範囲】
【請求項１】
踵部分に設けたエアポンプと、該エアポンプの適宜位置に設けた外気吸入口および吸入用弁とを備え、
前記エアポンプの前方部分に、当該エアポンプを通して環状の空気流路を形成する送気用チューブの基端部を連結し、この連結部に送気用弁を配する一方、
送気用チューブの一般部を足の側方および前方を囲うように配設し、送気用チューブの前方部分に、後方に向かって空気を噴出させる空気孔を設けたことを特徴とするエアポンプを用いた靴。
【請求項２】
踵部分に設けたエアポンプと、該エアポンプの適宜位置に設けた外気吸入口および吸入用弁とを備え、
前記エアポンプの前方部分に、当該エアポンプを通して環状の空気流路を形成する送気用チューブの基端部を連結し、この連結部に送気用弁を配する一方、
送気用チューブの一般部を足の側方下側位置および前方下側位置に位置させ、送気用チューブの前方部分に、後方または上方に向かって空気を噴出させる空気孔を設けたことを特徴とするエアポンプを用いた靴および中敷き。
【発明の詳細な説明】
【０００１】
【発明の属する技術分野】
本発明は、踵（かかと）の部分にエアポンプを設けて換気を行うための靴および中敷に係り、とくに、導入した新鮮外気の吹き出しの構造に関する。
【０００２】
【従来の技術と課題】
梅雨時や夏期には、靴内の温度が上昇するため不快感を覚えることが少なくない。そこで従来から、エアポンプを用いて靴内の空気を外気に排出するエアポンプ排出式の靴が知られていた。
【０００３】
しかしながら、エアポンプを用いて靴内の空気を吸引し外気に排出しても、足部の体温と汗に起因する不快感は解消できない。外気放出式のエアポンプシューズは、踝（くるぶし）まわりの隙間から外気が靴内に入ってくるだけで、足の先端部（つま先）の体温を下げる効果はないからである。
【０００４】
そこで本発明の目的は、とくに汗をかきやすい足の先端部（つま先）に新鮮な外気を導入することによって、靴の履き心地を改善することにある。
【０００５】
【課題を解決するための手段】
前記目的を達成するため、本発明に係る靴は、踵部分に設けたエアポンプと、該エアポンプの適宜位置に設けた外気吸入口および吸入用弁とを備え、前記エアポンプの前方部分に環状を呈する送気用チューブの基端部を連結し、この連結部に送気用弁を配する一方、送気用チューブの一般部を足の側方および前方を囲うように配設し、送気用チューブの前方部分に、後方に向かって空気を噴出させる空気孔を設けた（請求項１）。
【０００６】
靴および中敷きを共通の構造とする場合は、送気用チューブの一般部を足の側方下側位置および前方下側位置に位置させ、送気用チューブの前方部分に、後方または上方に向かって空気を噴出させる空気孔を設ける（請求項２）。
【０００７】
【作用】
本発明に係る送気用チューブは、踵部分に設けたエアポンプを介して新鮮な外気を足のつま先方向へ送り込む。ここでいう踵部分とは、靴の裏側後方にあるいわゆる積上の上方部分に位置する部位であって、必ずしも靴の最後端部だけを意味するものではない。
【０００８】
送気用チューブは、靴のなかに設ける場合は足の側方および前方を囲うようインナー側面底部（腰裏側面底部）に配設するか、或いは足の側方下面および前方下面、つまり中底より下方位置に配する。中底より下に配する場合は、中底に凹部を設けて送気用チューブを埋設し、送気用チューブに体重がかからないようにして歩行時における送気用チューブのつぶれを防止する。
【０００９】
中敷の場合は、足の裏面より上の位置に送気用チューブを設けることは難しいため、中敷パッドの内部に送気用チューブを設ける。エアポンプを設ける位置、送気用チューブを設ける平面位置は原則として同じである。
【００１０】
靴のインナーの内周面に沿って送気用チューブを設ける場合（靴の場合）は、空気を噴出させる空気孔は、つま先方向に向かって（後方向きに）設ける。送気用チューブをソールの表面（足の裏面と接する面）より下方に設ける場合（靴および中敷の場合）は、空気を噴出させる空気孔はつま先部分において上方または上向き後方に向かって開口させる。
【００１１】
【発明の実施の形態】
図１および図２は、本発明に係る靴を例示するものである。この靴１０は、後方の積上１１の上方部位であって、中底１２の上の部分に、エアポンプ１４を配する一方、ソール１５の前方の上方部位であって、中底１２の上の部分に、送気用チューブ１８を配して構成する。尚、送気用チューブ１８は必ずしも中底１２の上に配する必要はない。送気用チューブ１８は、中底１２に形成した凹溝に嵌装しても良いからである。
【００１２】
エアポンプ１４は、歩行時の足の踵の体重移動に応じて、外気を吸入し吸入外気を送気用チューブ１８の前方へ送り出す機能を営む。使用する素材としては、天然ゴム等の柔軟素材がある。また可撓性のある合成樹脂を用いて伸縮自在に成形した外周面が蛇腹状の伸縮ポンプを利用しても良い。
【００１３】
いずれの場合でも、中底１２の上にエアポンプ１４を配する場合は、当該エアポンプ１４の上下寸法を４〜２０ｍｍ程度とすることが望ましい。原理上は２〜４ｍｍでも機能するし、２０ｍｍ以上の上下寸法をもつよう設計すれば、より多くの外気をつま先方向に送り込むことが出来る。しかし、上下寸法が少なすぎるときには、つま先方向に送り込める外気量が少なくなり、上下寸法が大きすぎると履き心地を損なう可能性がある。従って、靴の中底１２より上の部分に送気用チューブ１８を配する場合には、靴の形状、年齢層、性別等を考慮した上で、その上下寸法を４〜２０ｍｍ程度に設定することが望まれる。
【００１４】
エアポンプ１４の適宜位置、例えば後端部には、エア吸入用の開口６１を設ける。また、この開口６１には、エアポンプ１４が伸張したときに外気を導入する吸入弁６２を設ける。吸入弁６２は、エアポンプ１４が圧縮されたときには開口６１を閉じて空気漏れを防ぐ。
【００１５】
一方、送気用チューブ１８は、例えば、ゴムなどの柔軟な樹脂または可撓性のある合成樹脂を用いることが望ましい。
【００１６】
その全体形状は、靴１０を構成するインナーの前方部分の形状に合わせて略環状に成形する。靴１０の形状は、履き口１７よりも前方の部分が長寸であることから、環状を呈する送気用チューブ１８も、平面から見て前後方向にやや縦長になるよう成形する。
【００１７】
そして、送気用チューブ１８は、その後端部をエアポンプ１４に連通させ、その連通接続部に、エアポンプ１４が圧縮されたときにエアを送気用チューブ１８の前方に送り込むための送気弁６５を設ける。送気弁６５は、エアポンプ１４が伸張するときは連通接続部の開口を閉じる。
【００１８】
送気用チューブ１８の前方には、エア噴出用の複数の空気孔２１を設ける。空気孔２１は、エアを後方、つまり、足のつま先周りに向かって吹き付けるよう後ろ向きのエア噴出が出来るように開設する。足の足部へのエア噴出を可能とするため、必要に応じて空気孔２１を横方向に向かって開設しても良い。
【００１９】
従って、かかる構造の靴１０によれば、歩行時の体重移動により、エアポンプ１４は伸縮運動を行い、外気の吸入と送気を営む。そしてエアポンプ１４が圧縮されるときは、吸入弁６２を介して導入した外気が送気用チューブ１８の前方へ送り込まれ、空気孔２１から足のつま先周りに対して新鮮なエアを噴出させることができる。
【００２０】
つま先周りは、履き口１７から遠く体温が上昇しやすい部位であるが、新鮮なエアの吹き付けを可能とすることで体温上昇を可能な限り防止し、水分を強制的に乾燥させる効果を発揮する。
【００２１】
すでに述べたように、送気用チューブ１８は、必ずしもインナー１９の下端部に沿って配する必要はなく、自由なデザインで引き回し配設して良い。例えば、靴（１０）の外側面、例えば、つま革やべろから外部に露出させても構わない。エアポンプ１４のように体重移動によるエアの吸入排出の営みに関係がないからである。靴（１０）の外側面に送気用チューブ１８を配した場合は奇抜なデザインとなり趣向性を高めることが出来る。
【００２２】
送気用チューブ１８は、中底１２より下に配しても良いことは勿論である。例えば中底１２に適当パターンの凹溝（図示せず）を設け、この凹溝に沿って送気用チューブ１８を装填装着することにより、送気用チューブ１８の存在による不必要な空間圧迫を解消でき、履き心地をさらに向上させることが出来る。凹溝を用いず、ソール１５の内部に送気用チューブ１８を埋設し、エアを吹き出し部分（空気孔２１）だけを中底１２の上部または中底１２と略同一となる高さ面に露出させても良い。
【００２３】
送気用チューブ１８の空気孔２１を、中底１２より下側に位置させるときには、後方または側方に向かってエアを噴出させることは難しい。従って、その場合にはエアを上方に向かって噴出させるよう空気孔２１を開設する。
【００２４】
尚、図３に、中底１２に凹溝を形成して送気用チューブ１８を嵌装固定させる場合における、送気用チューブ１８の自由な配設パターンを一例として示す。中底１２の表面に凹溝を形成する場合は、送気用チューブ１８は自由な配設パターンで設けることが出来る。
【００２５】
図４は、本発明に係る靴の中敷を例示するものである。この中敷３０におけるエアの吸入と送気の原理は、前記説明に係る靴１０の構造と同じであり、適当な肉厚、例えば２〜４ｍｍの肉厚の中敷３０内に、エアポンプ３１と送気用チューブ３５とを設ける。
【００２６】
中敷の場合は、送気用チューブ３５の前方に設ける空気孔２１は、水平後方に向かってエアを噴き出させることが難しいので、エアが上方または上向き後方に向かうよう開口する。
【００２７】
また中敷３０の場合は、エアポンプ３１の外周の適宜位置、例えば後端部、或いは側方外周部に設けるべきエア級入用の開口６１は、外周側面を傾斜させて設けることが望ましい（傾斜部を符号Ｐで示す）。開口を中敷３０の外周垂直面に設けると、当該部分は靴のインナーに当接し、外気の自由吸入を妨げる可能性があるからである。符号Ｍは、中敷３０を構成する柔軟材であり、その表面はメッシュとすることが望ましい。
【００２８】
このように、中敷３０にエアポンプ３１および送気用チューブ３５を含むエア換気構造を設けることにより、どのようなタイプの靴に対しても新鮮なエア供給を行うことが可能となり、暑い季節における靴の履き心地を確実に改善することが出来る。
【００２９】
エアポンプと送気用チューブとの連結部は、エアポンプの前方中央または前方左右の位置あり、エアポンプを通して送気用チューブが環状の空気流路を形成する構造であれば良い。
【００３０】
【発明の効果】
以上説明したように、本発明に係る靴および中敷によれば、汗をかきやすい足の先端部（つま先）に新鮮な外気を導入し、靴の履き心地を改善することが出来る。
【図面の簡単な説明】
【図１】実施形態に係る靴の構造を平面から例示する図である。
【図２】実施形態に係る靴の構造を側面から例示する図である。
【図３】実施形態に係る送気用チューブの他の配設パターンを例示する図である。
【図４】実施形態に係る中敷を例示する図である。
【符号の説明】
１０　靴
１１　積上
１２　中底
１４、３１　エアポンプ
１５　ソール
１７　履き口
１８、３５　送気用チューブ
２１　空気孔
３０　中敷
６１　（エア吸入用の）開口
６２　吸入弁
６５　送気弁
Ｐ　傾斜
Ｍ　柔軟材
【図１】
2004033634.tif 000003
【図２】
2004033634.tif 000004
【図３】
2004033634.tif 000005
【図４】
2004033634.tif 000006